(57)【要約】【課題】  同一増幅器本体を、ＢＴＬ駆動の選択時にもシングルエンド駆動の選択時にも適用する場合において、シングルエンド駆動の選択時に電源リップル成分などを除去できるようにする。【解決手段】  本発明は、ＢＴＬ駆動の選択時にホット側及びコールド側となる処理系統の少なくとも一方を、シングルエンド駆動の選択時に、シングルエンド駆動での処理系統として適用する電力増幅器に関する。そして、既知の不要成分源の出力から、不要成分除去信号を生成する不要成分除去信号生成手段と、少なくともシングルエンド駆動の選択時には、不要成分除去信号生成手段が生成した不要成分除去信号を、シングルエンド駆動での処理系統における増幅器本体への入力信号又は出力信号と重畳させて、増幅対象信号における不要成分を除去させる不要成分除去手段とを有する。【選択図】      図１
2009055530.tif 000002
【特許請求の範囲】
【請求項１】
ＢＴＬ駆動の選択時にホット側及びコールド側となる処理系統の少なくとも一方を、シングルエンド駆動の選択時に、シングルエンド駆動での処理系統として適用する電力増幅器であって、
既知の不要成分源の出力から、不要成分除去信号を生成する不要成分除去信号生成手段と、
少なくともシングルエンド駆動の選択時には、上記不要成分除去信号生成手段が生成した不要成分除去信号を、上記シングルエンド駆動での処理系統における増幅器本体への入力信号又は出力信号と重畳させて、増幅対象信号における不要成分を除去させる不要成分除去手段と
を有することを特徴とする電力増幅器。
【請求項２】
上記増幅器本体が単一電源のＰＷＭアンプであり、
上記不要成分除去信号生成手段が、上記増幅器本体に対する上記単一電源の電源リップル成分を除去する不要成分除去信号を生成することを特徴とする請求項１に記載の電力増幅器。
【請求項３】
上記不要成分除去信号生成手段が、上記増幅器本体への入力信号に含まれているノイズ成分を除去する不要成分除去信号を生成することを特徴とする請求項１又は２に記載の電力増幅器。
【請求項４】
ＢＴＬ駆動の選択時にホット側及びコールド側となる処理系統の両方をそれぞれ、シングルエンド駆動の選択時に、シングルエンド駆動での別個の処理系統として適用することを特徴とする請求項１〜３のいずれかに記載の電力増幅器。
【請求項５】
ＢＴＬ駆動の選択時においても、上記不要成分除去信号生成手段及び上記不要成分除去手段を作動させることを特徴とする請求項４に記載の電力増幅器。
【発明の詳細な説明】
【技術分野】
【０００１】
本発明は電力増幅器に関し、例えば、ＢＴＬ（Ｂｒｉｄｇｅｄ  Ｔｒａｎｓｌｅｓｓ）駆動ＰＷＭ（Ｐｕｌｓｅ  Ｗｉｄｔｈ  Ｍｏｄｕｌａｔｉｏｎ）アンプ及びシングルエンド駆動ＰＷＭアンプとして切り替えて適用可能なものに適用し得るものである。
【背景技術】
【０００２】
近年、電力増幅器（アンプ）のディジタル化が急速に進みつつある。特に、オーディオアンプにおいては、本格的な採用に目覚ましいものがある。ディジタル電力増幅器（いわゆるスイッチングアンプ）を搭載する機器としては、ヘッドホン、ＤＶＤプレイヤ、ミニコンポ、テレビ受像器、パソコン、携帯電話機等がある。
【０００３】
特許文献１〜特許文献３は、同一のアンプ部を、図２（Ａ）に示すようなＢＴＬ駆動アンプの要素としても、また、図２（Ｂ）に示すようなシングルエンド駆動アンプの要素としても適用可能なことを記載している。
【０００４】
ＢＴＬ駆動アンプとしてもシングルエンド駆動アンプとしても用いられることは、例えば、ＢＴＬ構成では大パワー用スピーカ出力を得て、シングルエンド構成では４ｃｈスピーカ出力（のうち２ｃｈの出力）を得たり、又は、ＧＮＤ共通端子を持ったヘッドホン出力を得たりすることができるため、同一の回路構成を用いても多様なバリエーションを持つオーディオ商品構成を可能とする。
【特許文献１】特開平０８−１６２８６３号公報
【特許文献２】特開２００６−１７４９９７号公報
【特許文献３】特表２００５−５０９３４７号公報
【発明の開示】
【発明が解決しようとする課題】
【０００５】
しかしながら、ＢＴＬ駆動アンプをシングルエンド駆動アンプとして用いる場合、その出力に、ＢＴＬ駆動時には現れなかった電源のリップル成分やノイズ成分が現れることがある。
【０００６】
ＢＴＬ駆動アンプでは、出力がＨＯＴ出力とＣＯＬＤ出力の差分として得られるので、ＨＯＴ出力とＣＯＬＤ出力の同相成分として重畳された電源のリップル成分やノイズ成分は出力で打ち消され、出力には現れない（図３（Ａ）参照）。これに対して、ＢＴＬ駆動アンプの出力の片側（例えば、ＨＯＴ出力）とＧＮＤ間にアンプの出力を求めてシングルエンド構成とした場合、ＢＴＬ駆動時には打ち消されていたノイズ成分やリップル成分が打ち消されることなくそのまま出力に現れてしまう（図３（Ｂ）参照）。そのため、本来、ＢＴＬ構成のアンプを、シングルエンド構成のアンプとして用いようとした場合には、実用上や性能上の問題が生じる。
【０００７】
特に、単一電源のＰＷＭアンプを増幅部に適用している場合には、電源リップルの問題は大きなものである。図３（Ｂ）に示すように、単一電源ＶｃｃのＰＷＭアンプを適用した場合には、出力信号の動作基準点電位がＶｃｃ／２となるため、単一電源Ｖｃｃにリップルがのっていると、グランド（ＧＮＤ）電位から見た負荷への出力信号（例えばオーディオ信号）はリップルに揺られたものとなる。一方、正負電源±ＶｃｃのＰＷＭアンプを適用した場合には、出力信号の動作基準点電位がグランド（ＧＮＤ）電位であるため、電源にリップルが乗っていてもさほど大きな影響を与えない。すなわち、単一電源のＰＷＭアンプを増幅部に適用している場合には、電源リップルの問題は大きい。
【０００８】
そのため、ＢＴＬ駆動アンプ及びシングルエンド駆動アンプ間で切り替えて用いても、シングルエンド駆動アンプ時において、電源リップル成分などの不要成分をアンプ出力から除去できる電力増幅器が望まれている。
【課題を解決するための手段】
【０００９】
本発明は、ＢＴＬ駆動の選択時にホット側及びコールド側となる処理系統の少なくとも一方を、シングルエンド駆動の選択時に、シングルエンド駆動での処理系統として適用する電力増幅器であって、（１）既知の不要成分源の出力から、不要成分除去信号を生成する不要成分除去信号生成手段と、（２）少なくともシングルエンド駆動の選択時には、上記不要成分除去信号生成手段が生成した不要成分除去信号を、上記シングルエンド駆動での処理系統における増幅器本体への入力信号又は出力信号と重畳させて、増幅対象信号における不要成分を除去させる不要成分除去手段とを有することを特徴とする。
【発明の効果】
【００１０】
本発明によれば、同一増幅器本体を、ＢＴＬ駆動の選択時にも、シングルエンド駆動の選択時にも適用するようにしても、シングルエンド駆動の選択時であっても、電源リップル成分などを除去することができる。
【発明を実施するための最良の形態】
【００１１】
（Ａ）第１の実施形態
以下、本発明による電力増幅器を、オーディオアンプ用のスイッチングアンプ（ディジタル電力増幅器）に適用した第１の実施形態を、図面を参照しながら詳述する。
【００１２】
図１は、第１の実施形態に係るスイッチングアンプ１００の要部構成を示すブロック図である。
【００１３】
図１において、スイッチングアンプ１００は、１個の負荷（例えば、単一のスピーカ）ＬＤに対してＢＴＬ出力（ＢＴＬ駆動）が可能であると共に、出力方法の切替えによって、一対の負荷（例えば、Ｒチャンネル及びＬチャンネルのスピーカ）ＬＤＲ及びＬＤＬに対してシングルエンド出力（シングルエンド駆動）が可能であるものである。
【００１４】
第１の実施形態のスイッチングアンプ１００は、オーディオ信号選択回路１０１、一対のスイッチングアンプ部１０２Ｈ及び１０２Ｃ、一対のローパスフィルタ１０３Ｈ及び１０３Ｃ、一対の切替スイッチ１０４Ｈ及び１０４Ｃ、一対のＤＣカップリングコンデンサ１０５Ｒ及び１０５Ｌ、並びに、一対の電源リップル除去信号生成部１０６Ｒ及び１０６Ｌを有する。
【００１５】
オーディオ信号選択回路１０１には、ＢＴＬ出力モード又はシングルエンド出力モードを指示している出力モード選択信号が入力されている。
【００１６】
オーディオ信号選択回路１０１は、出力モード選択信号がＢＴＬ出力モードを指示しているときには、入力されているオーディオ信号を第１（ホット側）のスイッチングアンプ部１０２Ｈにそのまま与えると共に、入力されているオーディオ信号を反転して第２（コールド側）のスイッチングアンプ部１０２Ｃに与える。
【００１７】
また、オーディオ信号選択回路１０１は、出力モード選択信号がシングルエンド出力モードを指示しているときには、第１及び第２のスイッチングアンプ部１０２Ｈ及び１０２Ｃにほぼ同様なオーディオ信号を与える。例えば、Ｒチャンネル及びＬチャンネルのオーディオ信号が別個に入力される場合であれば、Ｒチャンネルオーディオ信号を第１のスイッチングアンプ部１０２Ｈに与えると共に、Ｌチャンネルオーディオ信号を第２のスイッチングアンプ部１０２Ｃに与える。なお、シングルエンド出力モードにおいて、入力されるオーディオ信号が１つの場合には、オーディオ信号選択回路１０１は、そのオーディオ信号を２分岐して、第１及び第２のスイッチングアンプ部１０２Ｈ及び１０２Ｃに与え、又は、オーディオ信号を２分岐した後、音像定位処理によりＲチャンネル及びＬチャンネルのオーディオ信号を形成し、Ｒチャンネルオーディオ信号を第１のスイッチングアンプ部１０２Ｈに与えると共に、Ｌチャンネルオーディオ信号を第２のスイッチングアンプ部１０２Ｃに与える。
【００１８】
第１及び第２のスイッチングアンプ部１０２Ｈ及び１０２Ｃはそれぞれ、例えば、ＰＷＭコントロール回路及びスイッチング回路でなる単一電源のＰＷＭアンプである。ＰＷＭコントロール回路は、入力されたオーディオ信号に基づき、対応するスイッチング回路に対するスイッチング制御信号を形成して出力するものであり、スイッチング回路は、単一電源で動作するスイッチング回路であり、対応するＰＷＭコントロール回路から与えられたスイッチング制御信号に応じて、内蔵する複数のスイッチング素子をオンオフし、単一電源の電源電圧Ｖｃｃに応じたダイナミックレンジを有する、当該スイッチングアンプ部への入力オーディオ信号に対応したＰＷＭ信号を形成して出力するものである。単一電源ＶｃｃのＰＷＭアンプの場合、上述したように、Ｖｃｃ／２を動作基準点電位とした出力が得られる。
【００１９】
第１及び第２のローパスフィルタ１０３Ｈ及び１０３Ｃはそれぞれ、対応するスイッチング回路１０２Ｈ、１０２Ｃから出力されたＰＷＭ信号を積分してアナログ信号に変換するものである。図１では、インダクタ及びキャパシタの梯子型接続でなるものを示したが、ローパスフィルタ１０３Ｈ及び１０３Ｃの具体的構成は図１に示すものに限定されないことは勿論である。
【００２０】
第１及び第２の切替スイッチ１０４Ｈ及び１０４Ｃはそれぞれ、１入力２出力構成のスイッチであり、入力端子ｃには、対応するローパスフィルタ１０３Ｈ、１０３Ｃの出力信号が入力される。第１及び第２の切替スイッチ１０４Ｈ及び１０４Ｃには上述した出力モード選択信号が入力されており、第１及び第２の切替スイッチ１０４Ｈ及び１０４Ｃは連動した切替動作を行う。
【００２１】
出力モード選択信号がＢＴＬ出力モードを指示しているときには、第１及び第２の切替スイッチ１０４Ｈ及び１０４Ｃはそれぞれ、ＢＴＬ駆動用の出力端子ａを選択し、１個の負荷ＬＤに対して、ＢＴＬ出力（ＢＴＬ駆動）が可能なように、第１及び第２のローパスフィルタ１０３Ｈ及び１０３Ｃの出力端を接続させる。
【００２２】
これに対して、出力モード選択信号がシングルエンド出力モードを指示しているときには、第１及び第２の切替スイッチ１０４Ｈ及び１０４Ｃはそれぞれ、シングルエンド駆動用の出力端子ｂを選択する。これにより、第１の切替スイッチ１０４Ｈは、第１のローパスフィルタ１０３Ｈの出力端を、第１のＤＣカップリングコンデンサ１０５Ｒを介して、第１の負荷ＬＤＲに接続させると共に、第２の切替スイッチ１０４Ｃは、第２のローパスフィルタ１０３Ｃの出力端を、第２のＤＣカップリングコンデンサ１０５Ｌを介して、第２の負荷ＬＤＬに接続させる。
【００２３】
第１及び第２のＤＣカップリングコンデンサ１０５Ｒ及び１０５Ｌはそれぞれ、入力された信号の直流成分を除去し、その交流成分だけでなる信号を対応する負荷ＬＤＲ、ＬＤＬに供給するものである。
【００２４】
ここで、出力モード選択信号は、例えば、ヘッドホンのジャックの抜挿を監視する検出構成が、ヘッドホンジャックの挿入を検出しているときにシングルエンド出力モードを指示させ、ヘッドホンジャックの離脱を検出しているときにＢＴＬ出力モードを指示させるように、自動的に形成されるものであっても良い。また例えば、出力モード選択信号は、利用者のディップスイッチやトグルスイッチなどの操作に応じて、シングルエンド出力モード又はＢＴＬ出力モードを指示するものであっても良い。
【００２５】
第１及び第２の電源リップル除去信号生成部１０６Ｒ及び１０６Ｌはそれぞれ、電源リップルの源である、スイッチングアンプ部１０２Ｈ、１０２Ｃへの電源１０８からの電源電圧（Ｖｃｃ）を電源リップルを表す信号として取り出し、電源リップルを打ち消すことができる電源リップル除去信号（電源リップル成分に対し、ゲインが等しく、位相が逆相になるように合わせられている）を形成するものである。例えば、単一電源Ｖｃｃで動作するスイッチング回路を利用した第１及び第２のスイッチングアンプ部１０２Ｈ及び１０２Ｃからの、動作基準点電位Ｖｃｃ／２を中心とした出力は、電源電圧Ｖｃｃが変動すると、その電源変動に伴う成分（電源リップル成分）を有する。そのため、第１及び第２の電源リップル除去信号生成部１０６Ｒ及び１０６Ｌによって、電源１０８からの電源電圧を反転すると共にゲイン調整した電源リップル除去信号を形成し、対応する第１、第２のスイッチングアンプ部１０２Ｈ、１０２Ｃに入力するならば、第１、第２のスイッチングアンプ部１０２Ｈ、１０２Ｃの出力に現れる電源リップル成分を除去することができる。
【００２６】
なお、図１では、各処理系統別に電源１０８があるような記載になっているが、一般的には、同一の電源が利用されている。また、図１では、各処理系統別に電源リップル除去信号生成部１０６Ｒ及び１０６Ｌを設けたものを示したが、共通の電源リップル除去信号生成部を設け、それを、双方の処理系統に影響しないように分配して、各処理系統のスイッチングアンプ部１０２Ｈ、１０２Ｃに入力させるようにしても良い。
【００２７】
第１の実施形態のスイッチングアンプ１００において、ＢＴＬ出力モードが選択されているときには、オーディオ信号選択回路１０１から、入力オーディオ信号が第１のスイッチングアンプ部１０２Ｈにそのまま与えられると共に、入力オーディオ信号を反転したオーディオ信号が第２のスイッチングアンプ部１０２Ｃに与えられる。
【００２８】
このとき、第１のスイッチングアンプ部１０２Ｈには、第１の電源リップル除去信号生成部１０６Ｒが生成した電源リップル除去信号も、オーディオ信号に重畳されて入力される。ここで、第１のスイッチングアンプ部１０２Ｈの出力では、スイッチングアンプ動作で混入しようとした電源リップル成分が、オーディオ信号に重畳されている電源リップル除去信号によって相殺される。
【００２９】
また、第２のスイッチングアンプ部１０２Ｃには、第２の電源リップル除去信号生成部１０６Ｌが生成した電源リップル除去信号も、オーディオ信号に重畳されて入力される。ここで、第２のスイッチングアンプ部１０２Ｃの出力では、スイッチングアンプ動作で混入しようとした電源リップル成分が、オーディオ信号に重畳されている電源リップル除去信号によって相殺される。
【００３０】
第１のスイッチングアンプ部１０２ＨからのＰＷＭ信号は、第１のローパスフィルタ１０３Ｈを介してアナログ信号に変換された後、第１の切替スイッチ１０４Ｈを介して、負荷ＬＤに対するホット側入力となる。第２のスイッチングアンプ部１０２ＣからのＰＷＭ信号は、第２のローパスフィルタ１０３Ｃを介してアナログ信号に変換された後、第２の切替スイッチ１０４Ｃを介して、負荷ＬＤに対するコールド側入力となる。これにより、負荷ＬＤはＢＴＬ駆動される。
【００３１】
図３（Ａ）を用いて説明したように、ホット側の処理系統及びコールド側の処理系統の出力に電源リップル成分があっても、負荷の駆動時にそれらが相殺されて問題となることがない。しかし、第１の実施形態では、ＢＴＬ出力モードが選択されているときでも、ホット側の処理系統及びコールド側の処理系統の出力に、電源リップル成分がないようにしている。
【００３２】
次に、第１の実施形態のスイッチングアンプ１００において、シングルエンド出力モードが選択されている場合の動作を説明する。
【００３３】
シングルエンド出力モードにおいては、オーディオ信号選択回路１０１から、第１の負荷ＬＤＲを意図したオーディオ信号が第１のスイッチングアンプ部１０２Ｈに与えられると共に、第２の負荷ＬＤＬを意図したオーディオ信号が第２のスイッチングアンプ部１０２Ｈに与えられる。
【００３４】
このシングルエンド出力モード時においても、第１のスイッチングアンプ部１０２Ｈには、第１の電源リップル除去信号生成部１０６Ｒが生成した電源リップル除去信号が与えられ、これにより、第１のスイッチングアンプ部１０２Ｈの出力信号は、電源リップル成分も除去されている。
【００３５】
第１のスイッチングアンプ部１０２ＨからのＰＷＭ信号は、第１のローパスフィルタ１０３Ｈを介してアナログ信号に変換された後、第１の切替スイッチ１０４Ｈを介し、さらに、仮に電源リップル成分の除去動作を通じて直流シフトしたとしても（除去動作以外の要因によって直流シフトしたときも同様）、第１のＤＣカップリングコンデンサ１０５Ｒを介することで直流成分が除去されて、負荷ＬＤＲに印加され、負荷ＬＤＲがシングルエンド駆動される。
【００３６】
同様に、このシングルエンド出力モード時においても、第２のスイッチングアンプ部１０２Ｃには、第２の電源リップル除去信号生成部１０６Ｌが生成した電源リップル除去信号が与えられ、これにより、第２のスイッチングアンプ部１０２Ｃの出力信号は、電源リップル成分も除去されている。
【００３７】
第２のスイッチングアンプ部１０２ＣからのＰＷＭ信号は、第２のローパスフィルタ１０３Ｃを介してアナログ信号に変換された後、第２の切替スイッチ１０４Ｃを介し、さらに、電源リップル成分の除去動作を通じて直流シフトしたとしても（除去動作以外の要因によって直流シフトしたときも同様）、第２のＤＣカップリングコンデンサ１０５Ｌを介することで直流成分が除去されて、負荷ＬＤＬに印加され、負荷ＬＤＬがシングルエンド駆動される。
【００３８】
第１の実施形態によれば、ＢＴＬ出力モードだけでなく、シングルエンド出力モードにおいても、電源リップル成分を除去できた出力を得ることができる。その結果、同一のアンプ部を用いて、シングルエンド駆動とＢＴＬ駆動を切り替えて使用しても、いずれのモード共に、良好な出力品質を達成することができる。
【００３９】
このような効果は、シングルエンド出力モードにおいて、負荷への出力信号の動作基準点電位が電源電圧の半分（Ｖｃｃ／２）となる、単一電源のＰＷＭアンプを、スイッチングアンプ部１０２Ｈ及び１０２Ｃに適用しているときに、特に、大きなものである。
【００４０】
（Ｂ）第２の実施形態
次に、本発明による電力増幅器を、オーディオアンプ用のスイッチングアンプ（ディジタル電力増幅器）に適用した第２の実施形態を、図面を参照しながら詳述する。
【００４１】
図４は、第２の実施形態に係るスイッチングアンプ１００Ａの要部構成を示すブロック図であり、第１の実施形態に係る図１との同一、対応部分には同一符号を付して示している。
【００４２】
図４において、第２の実施形態のスイッチングアンプ１００Ａは、第１の実施形態のスイッチングアンプ１００の構成に加え、一対のノイズ除去信号生成部１０７Ｒ及び１０７Ｌを有するものである。
【００４３】
電源リップルの源である電源１０８だけでなく、ノイズ源１０９が既知の場合もある。例えば、信号線の引き回しが長いような場合には、当該装置の高周波信号やスパイク状パルスなどを扱う回路から不要輻射された高周波信号やスパイク状パルスなどを上記信号線が捕捉し、それがノイズとなることがある。第１及び第２のノイズ除去信号生成部１０７Ｒ及び１０７Ｌはそれぞれ、既知ノイズ源１０９からの出力に基づき、既知ノイズを打ち消すことができるノイズ除去信号を形成し、対応する第１、第２のスイッチングアンプ部１０２Ｈ、１０２Ｃに入力するものである。
【００４４】
なお、図４では、各処理系統別にノイズ源１０９があるような記載になっているが、一般的には、同一のノイズ源１０９が利用されている。また、図４では、各処理系統別にノイズ除去信号生成部１０７Ｒ及び１０７Ｌを設けたものを示したが、共通のノイズ除去信号生成部を設け、それを、双方の処理系統に影響しないように分配して、各処理系統のスイッチングアンプ部１０２Ｈ、１０２Ｃに入力させるようにしても良い。
【００４５】
既知ノイズ源１０９からの同相ノイズが除去できる動作の原理は、上述した電源リップルの除去と同様である。
【００４６】
第２の実施形態によっても、第１の実施形態と同様な効果を奏することができる。第２の実施形態によれば、シングルエンド出力モードにおいて、電源リップル成分だけなく、ノイズ源が既知の場合には、同相ノイズ成分をも除去することができる。
【００４７】
（Ｃ）他の実施形態
上記各実施形態の説明においても、種々変形実施形態に言及したが、さらに、以下に例示するような変形実施形態を挙げることができる。
【００４８】
上記各実施形態においては、シングルエンド出力モードでは、ＢＴＬ出力モードのホット側もコールド側の処理系統共に、別個の負荷を駆動するように機能するものを示したが、ＢＴＬ出力モードのホット側又はコールド側の一方の処理系統だけがシングルエンド駆動する場合にも、本発明を適用することができる。
【００４９】
図５は、電源１０８から電源リップル除去信号生成部１０６（１０６Ｒ又は１０６Ｌ）への入力経路上に、可変抵抗器などでなる入力レベルの調整器１１０を設けたスイッチングアンプを示している。このような入力レベル調整器１１０を設けると、製品バラツキ（製品によって電源リップルレベルが違う）にも容易に対応することができる。なお、図４におけるノイズ源１０９からノイズ除去信号生成部１０７（１０７Ｒ又は１０７Ｌ）への入力経路上に入力レベルの調整器を設けるようにしても良い。
【００５０】
本発明が除去対象とする不要成分は、（１）発生源が既知であること、（２）発生源とアンプ出力における同一時間の波形とレベルに相関があること、のみを要件とする。そのため、例えば、時間経過により波形が変形しても構わなく、周期性等は必要としない。
【００５１】
上記各実施形態では、増幅器本体がＰＷＭアンプであるものを示したが、各系統の増幅器はＰＷＭアンプに限定されるものではなく、他のスイッチングアンプであっても良く、アナログアンプであっても良い。また、ＰＷＭアンプも、単一電源のＰＷＭアンプに限定されず、効果は多少単一電源のＰＷＭアンプの場合より劣るが、両電源ＰＷＭアンプであっても良い。適用したアンプの種類によっては、電源リップル成分やノイズ成分の除去や相殺を、アンプの入力側にノイズ除去信号を入力（重畳）する方法に代え、アンプの出力側にノイズ除去信号を入力（重畳）する方法を適用して実現するようにしても良い。
【００５２】
上記各実施形態では、ＢＴＬ出力モードの選択時においても、電源リップル除去信号やノイズ除去信号による除去を行うものを示したが、ＢＴＬ出力モードの選択時においては、電源リップル除去信号やノイズ除去信号による除去を実行しないようにしても良い。
【００５３】
上記各実施形態では、負荷がスピーカの場合を示したが、負荷の種類（従って信号の種類）が限定されないことは勿論である。
【図面の簡単な説明】
【００５４】
【図１】第１の実施形態に係るスイッチングアンプの全体構成を示すブロック図である。
【図２】ＢＴＬ駆動とシングルエンド駆動の説明図である。
【図３】ＢＴＬ駆動及びシングルエンド駆動の両方に対応した考えられる従来技術の課題の説明図である。
【図４】第２の実施形態に係るスイッチングアンプの全体構成を示すブロック図である。
【図５】第１の実施形態の変形例を示すブロック図である。
【符号の説明】
【００５５】
１００、１００Ａ…スイッチングアンプ、１０１…オーディオ信号選択回路、１０２Ｈ、１０２Ｃ…スイッチングアンプ部、１０３Ｈ、１０３Ｃ…ローパスフィルタ、１０４Ｈ、１０４Ｃ…切替スイッチ、１０５Ｒ、１０５Ｌ…ＤＣカップリングコンデンサ、１０６Ｒ、１０６Ｌ…電源リップル除去信号生成部、１０７Ｒ、１０７Ｌ…ノイズ除去信号生成部、１０８…スイッチングアンプ部の電源。
【図１】
2009055530.tif 000003
【図２】
2009055530.tif 000004
【図３】
2009055530.tif 000005
【図４】
2009055530.tif 000006
【図５】
2009055530.tif 000007